(57)【特許請求の範囲】
【請求項１】
ミラーの両側に照明装置が縦型に設置された照明装置付きミラーであって、
前記照明装置は、
前記ミラーの上端側に配設される基板に搭載されたLEDと、
前記ミラーの上端側から下端側にかけて延出する上下方向に長尺な導光部と、
を備え、
前記導光部の後面側には、反射板または光拡散面のうちの少なくともいずれかが設けられており、
前記導光部の前面は、前記LEDから前記導光部の内部に導入された光が全面に亘って出射する発光面として構成されており、
前記ＬＥＤからの光が、前記導光部の長手方向の一方の端面である上端面から内部に導入されて、前記発光面全体から照射されるものであり、
前記ミラーの上端側に配設される前記基板に、放熱性を有する剛性部材を備えることを特徴とする照明装置付きミラー。
【請求項２】
前記導光部の後面に、光拡散面が設けられていることを特徴とする請求項１に記載の照明装置付きミラー。
【請求項３】
前記光拡散面は、反射性の物質を印刷または蒸着することで形成されていることを特徴とする請求項１または２に記載の照明装置付きミラー。
【請求項４】
前記反射板は、前記導光部の両側面および後面の外形形状に対応した形状であることを特徴とする請求項１から３のいずれかに記載の照明装置付きミラー。
【請求項５】
前記剛性部材は、前記基板を収納する基板ケースとして形成されていることを特徴とする請求項１から４のいずれかに記載の照明装置付きミラー。
【請求項６】
請求項１から５のいずれか１項に記載の照明装置付きミラーを備えることを特徴とする洗面化粧台。
【発明の詳細な説明】
【技術分野】
【０００１】
本発明は、照明装置付きミラーおよびこれを備えた洗面化粧台に関する。
【背景技術】
【０００２】
従来、洗面ボウルと、この洗面ボウルの後方に横並びに立設配置された複数の鏡と、これらの鏡間で鏡の上端側から下端側にかけて延出する形で配設されて前面方向を照射する照明装置とを備えた洗面化粧台が知られている（例えば、特許文献１参照）。具体的には、特許文献１の照明付き収納体（洗面化粧台）は、断面コ字状をした縦フレームを横方向に間隔をあけて複数本配設して縦フレーム間を収納部とし、隣接する縦フレーム間の収納部の前開口を開閉する扉が設けられている。そして、この扉の一側端部を縦フレームに回動自在に取付け、断面コ字状をした縦フレーム内に照明器具を配置し、断面コ字状の縦フレームの前開口に照明カバーを取付けている。
【０００３】
この洗面化粧台は照明装置が縦型に設置されており、鏡の上側にのみ照明装置が配設された洗面化粧台と比べて、照明装置の照明による使用者の鼻等の影が顔にできにくく、使用者の顔を明るく照らすことができる。
【先行技術文献】
【特許文献】
【０００４】
【特許文献１】特開２００５−６６１２２号公報
【発明の概要】
【発明が解決しようとする課題】
【０００５】
しかしながら、特許文献１の照明付き収納体は、断面コ字状をした縦フレーム内に照明器具を配置し、この縦フレームの前開口に照明カバーを取付けているため、照明のための装置が大がかりなものになり、コストを抑制することが難しいという問題がある。
【０００６】
本発明は、以上のとおりの事情に鑑みてなされたものであり、使用者の顔及び洗面ボウルを低コストで照らすことができる照明装置付きミラーおよび洗面化粧台を提供することを課題としている。
【課題を解決するための手段】
【０００７】
上記の課題を解決するために、本発明の照明装置付きミラーは、ミラーの両側に照明装置が縦型に設置された照明装置付きミラーであって、前記照明装置は、前記ミラーの上端側に配設される基板に搭載されたLEDと、前記ミラーの上端側から下端側にかけて延出する上下方向に長尺な導光部と、を備え、前記導光部の後面側には、反射板または光拡散面のうちの少なくともいずれかが設けられており、前記導光部の前面は、前記LEDから前記導光部の内部に導入された光が全面に亘って出射する発光面として構成されており、前記ＬＥＤからの光が、前記導光部の長手方向の一方の端面である上端面から内部に導入されて、前記発光面全体から照射されるものであり、前記ミラーの上端側に配設される前記基板に、放熱性を有する剛性部材を備えることを特徴としている。
【０００８】
本発明の洗面化粧台は、前記照明装置付きミラーを備えることを特徴としている。
【発明の効果】
【０００９】
本発明の洗面化粧台によれば、使用者の顔及び洗面ボウルを低コストで照らすことができる。
【図面の簡単な説明】
【００１０】
【図１】本発明の洗面化粧台の一実施形態を示す斜視図及びＸ部拡大図である。
【図２】図１の洗面化粧台の照明装置の分解斜視図である。
【図３】照明装置の導光部の断面図である。
【図４】導光部からの光の出射を説明するための模式図である。
【図５】本発明の洗面化粧台の別の実施形態を示す照明装置の要部斜視図である。
【発明を実施するための形態】
【００１１】
以下、図面を参照して本発明に係る洗面化粧台の実施形態を説明する。なお、以下の実施形態の洗面化粧台では、洗面化粧台に対面した使用者から見て手前側を前、奥側を後、左右方向を側方向として説明する。
【００１２】
図１は、本発明の洗面化粧台の一実施形態を示す斜視図及びＸ部拡大図である。
図１の洗面化粧台１は、洗面ボウル２と、この洗面ボウル２の後方に横並びに立設配置された複数の鏡１０と、これらの鏡１０間に配設される照明装置２０とを備えている。
【００１３】
洗面ボウル２は、洗面台３の上部のカウンター４に形成されている。カウンター４は、洗面ボウル２とともに合成樹脂等で一体に成形されており、洗面台３の上部に設置固定されている。洗面台３は箱状であり、内部が収納空間や配管設置空間とされ、扉や引き出し等を備える。カウンター４の後端上にはバックガード部５が一体に立設されており、このバックガード部５の前面の側方向中央部分には、吐水カラン６が突設されている。また、バックガード部５の前面において、吐水カラン６よりもやや外側寄りの位置に、吐水カラン６から吐出される湯水の量や温度を調節する操作レバー７が突設されている。吐水カラン６から吐出される湯水によって洗面ボウル２内で洗面、手洗い、衣類の洗い物作業等の作業が行われる。
【００１４】
バックガード部５上には、箱状のキャビネット８が立設されており、このキャビネット８の前面には、複数の鏡１０が横並びに設けられて洗面ボウル２の後方に立設配置されている。複数の鏡１０はそれぞれ、矩形形状を有して上下方向に延びており、一対のサイドミラー１１，１１とその間の中央ミラー１２を構成し、これら３枚の鏡によって三面鏡を形成する。三面鏡の中央ミラー１２は、キャビネット８前面の側方向中央部分に配置されており、洗面化粧台１に対面した使用者は、中央ミラー１２と相対する。図示しないが、キャビネット８には、一対のサイドミラー１１，１１と中央ミラー１２に対応する収納部がそれぞれ形成されている。各収納部は前面が開口しており、各鏡１０は、各収納部の開口全面を開閉自在に閉塞する。
【００１５】
照明装置２０は２つ配設されており、サイドミラー１１と中央ミラー１２との間にそれぞれ配設されている。照明装置２０は、長尺形状を有しており、鏡１０の上端側から下端側にかけて延出する形で配設され、中央ミラー１２の両側に縦型に設置されている。
【００１６】
照明装置２０は、光源２１と導光部３０と端部カバー４０とを有する。
光源２１は、鏡１０の上端側に配設される。導光部３０は、長尺形状を有しており、上下方向を長手方向として鏡１０の上端側から下端側にかけて延出する形で光源２１の下方に配設される。この導光部３０は、光源２１からの光を導出して矢印Ｐが示す前面方向へ照射可能とされている。また、導光部３０の下端側に配設される端部カバー４０を介して矢印Ｑが示す方向にも照射可能であり、洗面ボウル２の中心側に集光可能とされている。
【００１７】
図２は、図１の洗面化粧台の照明装置の分解斜視図である。
【００１８】
光源２１は、ＬＥＤ（発光ダイオード）２２と、このＬＥＤ２２を搭載する基板２３と、この基板２３を収納する基板ケース２４とを有して構成される。基板ケース２４は、箱状であり、放熱性の良好な金属等の剛性部材で形成される。
光源２１は、導光部３０の長手方向の一方の端面３１に対向して配置され、ＬＥＤ２２は、その光の出射方向が導光部３０の端面３１から長手方向の他方の端面３２に向かう方向になるように配置される。
【００１９】
導光部３０は、透光性を有し屈折率の高いアクリル樹脂やポリカーボネート樹脂等の合成樹脂で形成される。ガラス等の部材で形成することもできる。合成樹脂で形成する場合には、押出工法等によって形成することができる。
【００２０】
導光部３０の長手方向の一方の端面３１（光源２１側の端面）には、入光面３３が形成され、光源２１からの光がこの入光面３３から導光部３０の内部に導入される。
導光部３０の前面３５は、平面状に形成されている。図１に示されるように、導光部３０の前面３５とこの導光部３０を有する照明装置２０に隣接する鏡１０の前面とが略面一となるように照明装置２０が鏡１０間に配置される。
導光部３０の前面３５は、発光面として構成されており、入光面３３から内部に導入された光源２１からの光が前面３５から出射する。導光部３０の前面３５全体から光を出射させることもできる。導光部３０の前面３５からの光の出射が、前面方向への照射となる。
【００２１】
洗面化粧台に対面した使用者は、図１に示されるように、導光部３０の前面３５からの光の出射によって使用者の正面側から照射されることになる。本実施形態では、使用者が相対する中央ミラー１２の両側に照明装置２０が配設されているので、使用者は正面のやや側方から照射される。このような正面側からの照明によって、使用者の顔を明るく照らすことができる。また、鏡１０の上側にのみ配設された従来の照明装置の照明と比べて、使用者の鼻等の影が顔にできにくくなる。
【００２２】
導光部３０の後面３６には光拡散面が形成されていてもよい。光拡散面は、入光面３３から内部に導入された光源２１からの光を前面３５側に向けて照射する面であり、反射性の物質を後面に印刷ないし蒸着したりすることによって構成することができる。また、断面視Ｖ字状の溝条を後面に複数列形成することによって構成することもできる。
【００２３】
導光部３０の後面３６は、前面３５に対して平行な面として形成することもできるが、非平行な面として形成することもできる。
例えば、図３は照明装置の導光部の断面図であるが、この図３に示されるように、後面３６を平面とすると、後面３６の面が洗面化粧台に対面した使用者と相対する方向に、前面３５に対して所定の角度で後面３６を傾斜させることができる。このように後面３６の面を使用者と相対する方向に傾斜させることで、導光部３０の前面３５から出射される光を使用者に向けて（矢印Ｐ’で示す方向に）配光することができる。これによって照度が向上し、使用者をより明るく照らすことができる。図３では、傾斜角度αを５°に設定し、後面３６を前面３５に対して傾斜させている。この傾斜角度αは、導光部３０の前面３５に平行な仮想面Ａと後面３６とのなす角度であり、導光部３０の配置位置に応じて適宜設定される。例えば、照明装置がキャビネットの前面の外側付近に設置されるなど導光部３０が使用者から離れた位置に配置される場合には、傾斜角度αを大きくして後面３６の傾きを大きくする。一方、照明装置がキャビネットの前面の側方向中央部分に設置されるなど導光部３０が使用者に近い位置に配置される場合には、傾斜角度αを小さくして後面３６の傾きを小さくする。
【００２４】
また、導光部３０の前面３５の側方向の長さをＬ１、後面３６の側方向の長さをＬ２とすると、Ｌ１＞Ｌ２に設定して、導光部３０の前面３５の面積を後面３６の面積より大きくすることができる。かかる構成によって、導光部３０の光源側前面３５からの光の過度な出射が抑制され、導光部３０の前面３５から光を上下方向に亘ってより均一に出射させることができる。また、導光部３０の前面３５において部分的に輝度が上がりすぎることを抑え、眩しさを抑制することができる。
【００２５】
導光部３０の側面３７の傾きを調整することによっても、導光部３０の前面３５から出射される光の方向を調整でき、使用者に向けて配光することができる。例えば、図３に示されるように、側面３７を平面とし、中央ミラー側の側面３７ａと後面３６とのなす角度をβ、サイドミラー側の側面３７ｂと後面３６との傾きのなす角度をγとすると、β＞γの関係になるように各側面３７ａ，３７ｂの傾きを設定する。かかる構成によって、導光部３０の前面３５から光を全面に亘ってより均一に出射させることができ、眩しさを抑制することもできる。
【００２６】
導光部の別の実施形態として、側面を円弧状に湾曲する曲面とした、断面形状が略半円状の構成とすることもできる。このような構成の導光部の場合でも、中央ミラー側の側面とサイドミラー側の側面の曲率を調整することで、導光部の前面から出射される光の方向を調整でき、使用者に向けて配光することができる。また、導光部の前面から光を全面に亘ってより均一に出射させることができ、眩しさを抑制することもできる。
【００２７】
本実施形態では、図２及び図４に示されるように、導光部３０の長手方向の他方の端面３２に、出光面３８が形成されている。入光面３３から内部に導入された光は前面３５以外にこの出光面３８からも外部に出射される。
【００２８】
端部カバー４０は、導光部３０の出光面３８全面を覆う大きさを有しており、出光面３８に対向して配置される。この端部カバー４０は、導光部３０の端部を保護するものであるが、導光部３０の出光面３８からの光を洗面ボウルの中心側に集光させる出光部として構成されてもいる。
この端部カバー４０によって洗面ボウルを照明することが可能となり、洗面ボウル内での手洗いや衣類の洗い物作業等の作業を行い易くすることができる。
【００２９】
端部カバー４０は、透光性を有する透明性合成樹脂もしくは光拡散性を有する乳白色の合成樹脂で構成され、傾斜面４１を有している。傾斜面４１は端部カバー４０の外面に平面として形成されており、出光面３８と平行な平面を形成する内面４２に対して所定の角度で傾斜している。このような傾斜面４１を有した端部カバー４０はプリズムを構成し、導光部３０の出光面３８からの光をより効果的に洗面ボウルの中心側に集光ないし配光させることができる。
【００３０】
本実施形態では、図１に示されるように、端部カバー４０の傾斜面４１は、中央ミラー１２側からサイドミラー１１側に向かって斜め上方に傾斜しており、端部カバー４０の上下方向の厚みが、中央ミラー１２側において厚くサイドミラー１１側において薄くなっている。導光部３０の出光面３８からの光は、この端部カバー４０の傾斜面４１によって、より効果的に洗面ボウル２の中心側に集光ないし配光される。
【００３１】
端部カバーの別の実施形態として、図５に示されるように、反射部４３を有した構成とすることもできる。なお、図１−図４に示した実施形態と同じ部分には同一の符号を付し、その説明を省略する。
【００３２】
反射部４３は、鏡面仕上げ、白色仕上げ、銀蒸着等の処理によって光反射パターンが形成されており、導光部３０の出光面３８からの光をより効果的に洗面ボウルの中心側に集光ないし配光させることができる。
図５では、端部カバー４０’において、導光部３０の出光面３８に対向する部分に反射部４３が一体に設けられている。反射部４３は、正面視で導光部３０のサイドミラー側の側面３７ｂの下端から下側に中央ミラー側に向かって円弧状に湾曲しており、曲面形状を有する。反射部４３の先端部４４と導光部３０の中央ミラー側の側面３７ｂの下端との間には隙間６０が形成されており、反射部４３で反射した導光部３０の出光面３８からの光は、この隙間６０を介して洗面ボウルの中心側に集光ないし配向される。
【００３３】
端部カバーのさらに別の実施形態として、曲面を有するレンズを備えた構成とすることもできる。曲面を有するレンズによって、導光部の出光面からの光をより効果的に洗面ボウルの中心側に集光ないし配光させることができる。
【００３４】
上記の照明装置は、さらに導光部ケースを備えることもでき、導光部はこの導光部ケースに収納される。導光部ケースは、金属や合成樹脂等の剛性部材で形成される。図２に示されるように、導光部ケース２５は、導光部３０の側面３７及び後面３６の外形形状に対応した形状を内側形状とする凹部２６を有している。導光部３０は導光部ケース２５の凹部２６に収納され、凹部２６に収納された導光部３０は側面３７及び後面３６が覆われる。このような導光部ケース２５は、導光部３０の位置決めや鏡間への照明装置２０の設置を容易にする。また、ねじ等の固着具５０を用いて基板ケース２４及び端部カバー４０を導光部ケース２５に取り付けることもでき、光源２１及び端部カバー４０の設置を容易にする。
【００３５】
また、図２に示されるように、導光部３０の後面３６側に、反射板２７を配設することができる。この反射板２７は、導光部３０の側面３７及び後面３６の外形形状に対応した形状を有しており、導光部３０の側面３７や後面３６から漏れた光をこの反射板２７で導光部３０の側面３７や後面３６に向けて反射させることができる。このため、反射板２７を配設することで、導光部３０の前面３５及び出光面３８からの光の発光効率をより向上させることができる。反射板２７は、反射率の高い合成樹脂等で形成される。上記した導光部ケース２５に導光部３０を収納する場合には、導光部３０と導光部ケース２５の凹部２６との間に反射板２７を配設することができる。また、反射板２７を導光部ケース２５の凹部２６と一体に形成することもできる。
【００３６】
照明装置付きミラーは、ミラー（鏡）１０の両側に照明装置２０が縦型に設置されている。照明装置２０は、ミラー（鏡）１０の上端側に配設されるLED（光源）２１と、ミラー（鏡）１０の上端側から下端側にかけて延出する導光部３０を備えている。導光部３０の後面側には、反射板２７または光拡散面のうちの少なくともいずれかが設けられており、導光部３０の前面は、LED（光源）２１から導光部３０の内部に導入された光が全面に亘って出射する発光面として構成されている。
本発明の洗面化粧台１は、このような照明装置付きミラーを備えている。
以上の照明装置付きミラーおよび洗面化粧台によれば、一つの光源からの光を導光部の前面及び下側の端部の出光面から出射させることができる。導光部の前面からの光の出射によって、使用者の顔を明るく照らすことができる。この場合、鏡の上側にのみ配設された従来の照明装置の照明と比べて、使用者の鼻等の影が顔にできにくくなる。また、導光部の下側の端部の出光面から出射された光は、端部カバーによって、洗面ボウルの中心側へ集光される。これによって、洗面ボウルを明るく照明することが可能となり、洗面ボウル内での手洗いや衣類の洗い物作業等の作業を行い易くすることができる。このように使用者の顔及び洗面ボウルを一つの光源で照らすことができるので、低コストである。
【００３７】
以上、実施形態に基づき本発明を説明したが、本発明は上記の実施形態に何ら限定されるものではなく、その要旨を逸脱しない範囲内において各種の変更が可能である。例えば、光源から導光部に向かう光を平行光化し、導光部の前面から出射される光の輝度分布をより均一化するために、シリンドリカル面等の曲面を有する入光レンズを光源と導光部との間に設けることができる。
【符号の説明】
【００３８】
１    洗面化粧台
２    洗面ボウル
２１  光源（LED）
１０  鏡（ミラー）
２０  照明装置
３０  導光部
４０，４０’   端部カバー
４１  傾斜面
４３  反射部
【図１】
0005866603.tif 000002
【図２】
0005866603.tif 000003
【図３】
0005866603.tif 000004
【図４】
0005866603.tif 000005
【図５】
0005866603.tif 000006